(57)【特許請求の範囲】
【請求項１】
対向した一対の親桁間に両端部がそれぞれ接続された複数の子桁が間隔を空けて配置された梯子形状のケーブルラックに、新設ケーブルを敷設する際の延線作業のときに新設ケーブルを案内するケーブル延線用補助装置であって、
隣接した前記子桁間にわたって子桁の下側から着脱可能であって、子桁の上面に係止される台座と、
この台座に直接または間接的に１箇所で締付け固定され、前記新設ケーブルを延線作業する際に、四方で囲って案内する四面ローラー体と、を備え、
前記台座は、一方の前記子桁に爪部材により係止する第１の台座本体と、他方の前記子桁に爪部材により係止する第２の台座本体と、この第２の台座本体と前記第１の台座本体との間に設けられ対向した第１の台座本体と第２の台座本体との距離を調整するスライド機構とを備え、
一方の前記子桁と前記第１の台座本体との間に挿入され、また他方の前記子桁と前記第２の台座本体との間に挿入され、第１の台座本体及び第２の台座本体の移動を防止する楔部材を備えたことを特徴とするケーブル延線用補助装置。
【請求項２】
前記台座の上面には、前記ケーブルラック上に敷設された既設ケーブルの高さよりも高いスペーサーが着脱可能に設けられており、
前記四面ローラー体は、前記スペーサーの上面に１箇所で締付け固定されていることを特徴とする請求項１に記載のケーブル延線用補助装置。
【請求項３】
対向した一対の親桁間に両端部がそれぞれ接続された複数の子桁が間隔を空けて配置された梯子形状のケーブルラックに、新設ケーブルを敷設する際の延線作業のときに新設ケーブルを案内するケーブル延線用補助装置であって、
隣接した前記子桁間にわたって子桁の下側から着脱可能であって、子桁の上面に係止される台座と、
この台座に直接または間接的に１箇所で締付け固定され、前記新設ケーブルを延線作業する際に、四方で囲って案内する四面ローラー体と、を備え、
前記台座は、前記新設ケーブルを敷設する下段の前記ケーブルラックの上段に配置されたケーブルラックの前記子桁に係止され、
前記四面ローラー体は、前記台座の下面に直接または間接的に取付けられていることを
特徴とするケーブル延線用補助装置。
【請求項４】
前記台座と前記四面ローラー体間との間には、四面ローラー体と下段の前記ケーブルラックとの間の距離を調整するスペーサーが設けられている特徴とする請求項３に記載のケーブル延線用補助装置。
【請求項５】
対向した一対の親桁間に両端部がそれぞれ接続された複数の子桁が間隔を空けて配置された梯子形状のケーブルラックに、新設ケーブルを敷設する際の延線作業のときに新設ケーブルを案内するケーブル延線用補助装置であって、
隣接した前記子桁間にわたって子桁の下側から着脱可能であって、子桁の上面に係止される台座と、
この台座に直接または間接的に１箇所で締付け固定され、前記新設ケーブルを延線作業する際に、四方で囲って案内する四面ローラー体と、を備え、
前記四面ローラ体は、前記新設ケーブルが出し入れする側に、前記新設ケーブルを仮置きするための保持具が着脱可能に設けられていることを特徴とするケーブル延線用補助装置。
【請求項６】
前記台座は、一方の前記子桁に爪部材により係止する第１の台座本体と、他方の前記子桁に爪部材により係止する第２の台座本体と、この第２の台座本体と前記第１の台座本体との間に設けられ対向した第１の台座本体と第２の台座本体との距離を調整するスライド機構とを備えていることを特徴とする請求項３〜５の何れか１項に記載のケーブル延線用補助装置。
【請求項７】
請求項１〜６の何れか１項に記載のケーブル延線用補助装置を用いて、既設ケーブルの一部を、前記新設ケーブルに切り替える、更新工事方法であって、
前記ケーブルラックに前記ケーブル延線用補助装置を取付け、前記四面ローラー体内に収まった前記新設ケーブルの延線作業を行い、延線作業後もそのまま四面ローラー体内に仮置きする工程と、
仮置きした状態で前記新設ケーブルを新設備に接続する工程と、
古設備の取り除く予定の前記既設ケーブルを前記ケーブルラックから撤去する工程と、
前記四面ローラー体内に仮置きされた前記新設ケーブルを前記ケーブルラックの空きスペースに整線する工程と
を備えたことを特徴とする更新工事方法。
【発明の詳細な説明】
【技術分野】
【０００１】
この発明は、動力ケーブルや制御ケーブル等の各種新設ケーブルを梯子形状のケーブルラックに敷設する際に用いられるケーブル延線用補助装置、及びこのケーブル延線用補助装置を用いた更新工事方法に関するものである。
【背景技術】
【０００２】
この種のケーブル延線用補助装置として、新設ケーブルを延線作業する際に四方を囲って案内する、４個のローラーを有する四面ローラー体がケーブルラックの側面部（以下、親桁と称す。）に設置されたものが知られている。
このケーブル延線用補助装置は、縦方向のサブローラーの少なくとも一つが横倒可能に設けられており、新設ケーブルが載置される横向きのメインローラーと、倒伏して新設ケーブルの出し入れを可能にするサブローラーとを備えている（例えば、特許文献１参照）。
【先行技術文献】
【特許文献】
【０００３】
【特許文献１】登録実用新案第３０６０９１４号公報
【発明の概要】
【発明が解決しようとする課題】
【０００４】
このケーブル延線用補助装置は、ケーブルラックの親桁箇所に設置する構造であり、下記の問題点があった。
イ．ケーブルラック上に親桁の高さ以上に既設ケーブルが敷設されている場合、既設ケーブルに当たってしまうため親桁にはケーブル延線用補助装置を設置することができない。
ロ．このケーブル延線用補助装置が設置された下側に十分なスペースが無いためケーブルを配置して整線することが困難である。
【０００５】
また、このケーブル延線用補助装置は、四面ローラー体が台座に固定されているので、新設ケーブルの延線方向が一方向での延線作業にしか対応できず、ケーブルラックの曲がり箇所では、ケーブル曲げ半径に沿った延線ができないという問題点もあった。
【０００６】
この発明は、かかる問題点を解決することを課題とするものであって、ケーブルラック上に載置された既設ケーブルの多少に関係なくケーブルラックに設置可能であり、また曲がった箇所の新設ケーブルの延線作業にも簡単に対応することができるケーブル延線用補助装置を得ることを目的とする。
【０００７】
また、この発明は、更新工事により取り除く予定の既設ケーブルの仮置き作業が不要となり、更新の作業時間が短縮される更新工事方法を得ることを目的とする。
【課題を解決するための手段】
【０００８】
この発明に係るケーブル延線用補助装置は、対向した一対の親桁間に両端部がそれぞれ接続された複数の子桁が間隔を空けて配置された梯子形状のケーブルラックに、新設ケーブルを敷設する際の延線作業のときに新設ケーブルを案内するケーブル延線用補助装置であって、
隣接した前記子桁間にわたって子桁の下側から着脱可能であって、子桁の上面に係止される台座と、
この台座に直接または間接的に１箇所で締付け固定され、前記新設ケーブルを延線作業する際に、四方で囲って案内する四面ローラー体と、を備え、
前記台座は、一方の前記子桁に爪部材により係止する第１の台座本体と、他方の前記子桁に爪部材により係止する第２の台座本体と、この第２の台座本体と前記第１の台座本体との間に設けられ対向した第１の台座本体と第２の台座本体との距離を調整するスライド機構とを備え、
一方の前記子桁と前記第１の台座本体との間に挿入され、また他方の前記子桁と前記第２の台座本体との間に挿入され、第１の台座本体及び第２の台座本体の移動を防止する楔部材を備えたものである。
【０００９】
また、この発明に係る更新工事方法は、ケーブルラックにケーブル延線用補助装置を取付け、四面ローラー体内に収まった新設ケーブルの延線作業を行い、延線作業後もそのまま四面ローラー体内に仮置きする工程と、
仮置きした状態で新設ケーブルを新設備に接続する工程と、
古設備の取り除く予定の既設ケーブルを前記ケーブルラックから撤去する工程と、
前記四面ローラー体内に仮置きされた前記新設ケーブルを前記ケーブルラックの空きスペースに整線する工程とを備えている。
【発明の効果】
【００１０】
この発明に係るケーブル延線用補助装置によれば、隣接した子桁間にわたって子桁の下側から着脱可能であって、子桁の上面に係止される台座と、この台座に直接または間接的に１箇所で締付け固定され、新設ケーブルを延線作業する際に、四方で囲って案内する四面ローラー体とを備えたので、ケーブルラックに多量の既設ケーブルがあっても、このケーブルラックに取り付けて新設ケーブルの延線作業を行うことができる。
また、四面ローラー体は、台座に水平方向の所望の角度に固定可能であり、曲がった新設ケーブルの延線作業にも簡単に対応することができる。
【００１１】
また、この発明に係る更新工事方法によれば、古設備の取り除く予定の既設ケーブルをケーブルラックから撤去するまで、延線後の新設ケーブルは四面ローラー体に仮置きされており、更新により取り除く予定の既設ケーブルの仮置き作業が不要となり、更新工事の作業時間が短縮される。
【図面の簡単な説明】
【００１２】
【図１】この発明の実施の形態１のケーブル延線用補助装置を示す斜視図である。
【図２】図１のケーブル延線用補助装置の一使用態様を示す説明図である。
【図３】この発明の実施の形態２のケーブル延線用補助装置を示す説明図である。
【図４】この発明の実施の形態３のケーブル延線用補助装置を示す説明図である。
【発明を実施するための形態】
【００１３】
以下、この発明の各実施の形態のケーブル延線用補助装置（以下、補助装置と略称する。）について図に基づいて説明するが、各図において、同一または相当部材、部位については同一符号を付して説明する。
実施の形態１．
図１はこの発明の実施の形態１の補助装置を示す斜視図、図２は図１の補助装置の一使用態様を示す説明図である。
この補助装置は、対向した一対の親桁１ａ間に両端部がそれぞれ接続された複数の子桁１ｂ１，１ｂ２が間隔を空けて配置された梯子形状のケーブルラック１に取付けられ、新設ケーブル８ａをケーブルラック１上に敷設する際の延線作業のときに新設ケーブル８ａを案内するための装置である。なお、図１においては、手前の親桁１ａは省略されている。
この補助装置は、隣接した子桁１ｂ１，１ｂ２間にわたって子桁１ｂ１，１ｂ２の下側から着脱可能であって、子桁１ｂ１，１ｂ２の上面にＬ字形状の爪部材２ｃが係止される台座２と、この台座２の中間部に着脱可能に垂設され、多数の載置された既設ケーブル８の高さよりも高いスペーサー５と、新設ケーブル８ａを延線作業する際に、四方で囲って案内する四面ローラー体６とを備えている。
【００１４】
台座２は、一方の子桁１ｂ１に爪部材２ｃにより係止する、Ｔ字形状の第１の台座本体２ａと、他方の子桁１ｂ２に爪部材２ｃにより係止する、Ｔ字形状の第２の台座本体２ｂと、この第２の台座本体２ｂと第１の台座本体２ａとの間に設けられ対向した第１の台座本体２ａと第２の台座本体２ｂとの距離を調整するスライド機構であるスライド枠２ｄとを備えている。爪部材２ｃは、第１の台座本体２ａ及び第２の台座本体２ｂにそれぞれ左右対称位置に、２個ずつ溶接により固定されている。
四角中空形状のスライド枠２ｄは、一端部から第１の台座本体２ａが挿入されて固定され、他端部からは第２の台座本体２ｂが挿入され、摺動可能になっており、ハンドル２ｅの回転操作により、第２の台座本体２ｂのスライド枠２ｄに対する相対移動が規制される。
一方の子桁１ｂ１と第１の台座本体２ａとの間の隙間には、硬質ゴム製等の弾性力のある楔部材３が挿入されており、また他方の子桁１ｂ２と第２の台座本体２ｂとの間にも楔部材３が挿入されている。
一般にケーブルラック１の子桁１ｂの間隔や太さなどは製作メーカーによって異なっているが、落下しないように紐４で接続された楔部材３が挿入されることで、補助装置の横ずれは防止される。
【００１５】
スペーサー５は、台座２のスライド枠２ｄの上部に着脱可能に取り付けられている。
このスペーサー５の上面の中間部には、四面ローラー体６が１本のボルト７により締付け固定されている。
四面ローラー体６は、１本のボルト７によりスペーサー５に取り付けられているので、四面ローラー体６は、ボルト７を中心として水平方向に所望角度回転され、その回転角度で固定される。
【００１６】
四面ローラー体６は、コの字形状の枠体６ａと、この枠体６ａの内側に四方を囲って回転自在にそれぞれ設けられ、新設ケーブル８ａを延線作業する際に四方を囲って案内するローラー６ｂと、４本のローラー６ｂのうち一本のローラー６ｂの先端部に形成されたハンドル６ｃとを備えている。
このハンドル６ｃは操作（回す又は引っ張る）されることで、ハンドル６ｃ付きのローラー６ｂが枠体６ａからの係止が解除され、倒伏されるので、倒伏されたことで生じる開口部を通じて新設ケーブル８ａは、四面ローラー体６内へ出し入れ可能となる。
【００１７】
次に、上記構成の補助装置を用いて行われる、新設ケーブルの敷設工事方法について説明する。
先ず、図２に示すように、ケーブルラック１の子桁１ｂ１，１ｂ２の上面に既設ケーブル８が多数本敷設されているような場合であっても、ケーブルラック１の子桁１ｂ１，１ｂ２の中間部に、それぞれ下側から爪部材２ｃを係止して第１の台座本体２ａ及び第２の台座本体２ｂを取付ける。取付ける際には、隣接した子桁１ｂ１及び子桁１ｂ２間の外のり距離と、第１の台座本体２ａ及び第２の台座本体２ｂのそれぞれの爪部材２ｃ間の内のり距離と一致させるように、スライド枠２ｄを用いて調整し、ハンドル２ｅを回転操作して固定する。また、爪部材２ｃは、爪部材２ｃが係止する部位に配置された既設ケーブル８のみを爪部材２ｃの厚み分だけ持ち上げることで簡単に子桁１ｂ１，１ｂ２に引っ掛けることが出来る。
また、スペーサー５の横方向の厚さ分のみ既設ケーブル８を移動させることができれば、スペーサー５は既設のケーブル間に差し込んで取り付け可能である。
この後、スペーサー５の上面にボルト７を用いて四面ローラー体６を固定する。四面ローラー体６のスペーサー５に対する水平方向の角度は、新設ケーブル８ａの延線作業の際に新設ケーブル８ａの曲線に沿った延線作業が円滑に行われることを可能にする角度である。
【００１８】
なお、スペーサー５は、幅に関しては既設ケーブル８間に差し込んで取り付け可能であり、高さに関しては既設ケーブル８の積層高さ等を考慮して作業しやすいものを選択して使用すればよい。
さらに、ケーブルラック１の幅が広い（一対の親桁１ａの間隔が広い）場合にあっては、台座２は、子桁１ｂの中心部に取付ける必要性はなく、新設ケーブル８ａの延線作業がし易い位置に取り付ければよい。
【００１９】
次に、四面ローラー体６の枠体６ａから係止されたハンドル６ｃ付きのローラー６ｂの係止を解除し、四面ローラー体６内に新設ケーブル８ａを収めた後、ハンドル６ｃ付きのローラー６ｂを再び枠体６ａに係止する。
この状態で、延線機（図示せず）等により、新設ケーブル８ａの延線作業を行い、引き続き、新設ケーブル８ａを、ハンドル６ｃ付きのローラー６ｂを倒伏して四面ローラー体６から引き出す。
そして、最後にケーブルラック１の空きスペースに新設ケーブル８ａを整線し、新設ケーブルの敷設工事は終了する。
【００２０】
この実施の形態による補助装置によれば、隣接した子桁１ｂ１，１ｂ２間にわたって子桁１ｂ１，１ｂ２の下側から爪部材２ｃを用いて着脱可能であって、子桁１ｂ１，１ｂ２の上面に爪部材２ｃが係止される台座２と、この台座２に着脱可能に設けられケーブルラック１上に敷設された既設ケーブル８の高さよりも高いスペーサー５と、このスペーサー５の上面の１箇所にボルト７で締付け固定し、新設ケーブル８ａを延線作業する際に、四方で囲って案内する四面ローラー体６とを備えたので、次のような効果がある。
イ．例えば、ケーブルラック１に親桁１ａの高さ以上に多量の既設ケーブル８が敷設されていても、子桁１ｂ１，１ｂ２の下側から子桁１ｂ１，１ｂ２の上面に爪部材２ｃを係止することで、補助装置をケーブルラック１に簡単に取付けることができる。
ロ．四面ローラー体６は、スペーサー５の上面の１箇所にボルト７で締付け固定されているので、四面ローラー体６は、ボルト７を中心に水平方向の角度を自由に設定可能であり、曲がったルートに実施する新設ケーブル８ａの延線作業にも簡単に対応することができる。
【００２１】
また、台座２は、一方の子桁１ｂ１に一対の爪部材２ｃにより係止する第１の台座本体２ａと、他方の子桁１ｂ２に一対の爪部材２ｃにより係止する第２の台座本体２ｂと、この第２の台座本体２ｂと第１の台座本体２ａとの間に設けられ対向した第１の台座本体２ａと第２の台座本体２ｂとの距離を調整するスライド機構であるスライド枠２ｄとを備えているので、補助装置は、隣接した子桁１ｂ１，１ｂ２間の距離が異なるケーブルラック１にも簡単に対応することができる。
【００２２】
また、一方の子桁１ｂ１と第１の台座本体２ａとの間、及び他方の子桁１ｂ２と第２の台座本体２ｂとの間には、楔部材３が挿入されるので、補助装置は、ケーブルラック１の子桁１ｂ１，１ｂ２に沿って横方向にずれて移動することなく、ケーブルラック１に安定して取付けられる。
【００２３】
実施の形態２．
上記実施の形態１．では新設ケーブル８ａを敷設するケーブルラック１に補助装置を取り付ける場合について説明したが、一般に多段ラックと呼ばれるケーブルラック１が上下方向に複数段設置されているような場合については、図３に示すように、新設ケーブル８ａを敷設する予定のケーブルラック１の一段上のケーブルラック１に補助装置を取り付けると好適である。
図３は、この発明の実施の形態２の補助装置を示す説明図である。
この実施の形態の補助装置では、複数段のケーブルラック１のうち、新設ケーブル８ａを敷設するケーブルラック１の上段に配置されたケーブルラック１の子桁１ｂ１，１ｂ２に、台座２の爪部材２ｃが係止される。
台座２のスライド枠２ｄの下面には、四面ローラー体６がボルト７で直接取付けられている。
他の構成は、実施の形態１の補助装置と同じである。
【００２４】
この実施の形態では、新設ケーブル８ａを敷設する予定のケーブルラック１に既設ケーブル８が多数本入っている場合であっても、何の制約も受けることなく、このケーブルラック１の上段のケーブルラック１に補助装置を取付けて、新設ケーブル８ａの延線作業を行うことができる。
なお、上段のケーブルラック１と下段のケーブルラック１との間隔が広い場合には、新設ケーブル８ａの延線作業性を向上させるために、スライド枠２ｄと四面ローラー体６との間にスペーサー５を設けるようにしてもよい。
【００２５】
実施の形態３．
上記実施の形態では何れも新設ケーブル８ａの敷設工事について説明したが、更新工事(古い設備から新しい設備に切替える工事)に補助装置を適用した場合の工事方法について説明する。一般に更新工事においては、古い設備から新しい設備に切替える際の設備の停止時間を極力少なくする必要があり、以下に示す手順での工事方法が行われる。
従来の更新工事方法
（１）更新により取り除く予定の既設ケーブルを、作業の邪魔にならない位置までケーブルラックから持ち上げ移動させてワイヤーなどで固縛して仮置きする。
（２）補助装置などを設置し、新設のケーブルの延線作業を行う。
（３）ケーブルラックの空きスペースに新設ケーブルを整線作業する。
（４）敷設した新設ケーブルに新しい設備を接続する。
（５）古い設備から新しい設備への切替え作業を行う。
（６）仮置きしていた取り除く予定の既設ケーブルを撤去する。
この発明の更新工事方法
（１）補助装置などを設置し、新設ケーブルの延線作業を行い、補助装置にそのまま新設ケーブルを仮置きする。
（２）仮置きした新設ケーブルに新しい設備を接続する。
（３）古い設備から新しい設備への切替え作業を行う。
（４）古い設備の取り除く予定の既設ケーブルをケーブルラックから撤去する。
（５）補助装置に仮置きしていた新設ケーブルをケーブルラックの空きスペースに整線作業する。
このような手順で作業することにより、従来の更新工事方法で必要であった更新により取り除く予定の既設ケーブルの仮置き作業が不要となり、作業時間を短縮することが可能となる。
【００２６】
なお、上記説明では補助装置にそのまま新設ケーブル８ａを仮置きする場合について説明したが、新設ケーブル８ａの本数が多くて１回の延線作業では全ての新設ケーブル８ａを延線することができない場合がある。そのような場合には、図４に示すように４面ローラー体６のケーブル出し入れ口のある側の枠体６ａに着脱可能にケーブル仮置き用の保持具９を取り付けて、この保持具に延線済みの新設ケーブル８ａを仮置きすることで、上記と同様にこの発明の更新工事方法を実施することができる。
この場合についても、最後に延線作業した新設ケーブル８ａについてはそのまま四面ローラー体６内に仮置きしておいてもよいのは言うまでもない。
【符号の説明】
【００２７】
１  ケーブルラック、１ａ  親桁、１ｂ１，１ｂ２  子桁、２  台座、２ａ  第１の台座本体、２ｂ  第２の台座本体、２ｃ  爪部材、２ｄ  スライド枠、２ｅ  ハンドル、３  楔部材、４  紐、５  スペーサー、６  四面ローラー体、６ａ  枠体、６ｂ  ローラー、６ｃ  ハンドル、７  ボルト、８  既設ケーブル、８ａ  新設ケーブル、９  保持具。
【図１】
0005279872.tif 000002
【図２】
0005279872.tif 000003
【図３】
0005279872.tif 000004
【図４】
0005279872.tif 000005